(57)【特許請求の範囲】
【請求項１】
上方が開放した箱状に形成された下箱体と、
下箱体の開口縁に渡って外側下方に折り返して形成された補強折返し縁と、
下箱体の開口縁の一部を円弧状に切り下げたペットの出入り口下部と、
出入り口下部の全縁を、水平方向の外方に突出し、かつ下側に折り返して形成されペットの腹部との接触を保護する保護折返し縁と、
一面が開放した箱状に形成され、開放した一面を上向きにした場合に、上方から下箱体に挿入した状態、かつ、下箱体を上方から挿入した状態でネスティング自在であり、一面を下箱体の開放部分に対応することで本体組立てを完成するフードと、
フードの開口縁に形成されて、ネスティング状態では、下箱体の補強折返し縁の上又は下に隣接し、本体組立て状態では、補強折返し縁を上方から挟持する一対の内リブと外リブとを備えた組立てリブと、
出入り口下部に対応するフードに形成された円弧状の切り欠きからなるペットの出入り口上部と、
を備えたことを特徴とするペット用トイレ。
【請求項２】
本体組立て状態で、下箱体の保護折返し縁に対応するフードの内リブと外リブとを切り欠いたことを特徴とする請求項１に記載のペット用トイレ。
【発明の詳細な説明】
【０００１】
【産業上の利用分野】
本発明は、例えば猫のためのトイレに係り、特にフードを備えて脱臭機能を持たせたペット用トイレに関する。
【０００２】
【従来の技術】
一般的に知られる合成樹脂製のペット用トイレは図１３および図１４に示されるように構成されていた。図中に示されるペット用トイレ１は、浅い下箱体２と、この下箱体２の上に挿着されるフード３とを備えている。
【０００３】
下箱体２の中には、猫砂等を収容して使用するものであり、フード３の側面には、猫の出入り口４が開口され、猫が出入りできるようになっている。
【０００４】
そして、フード３の天井部分には、内部に突出する図示しない収容スペースが形成されており、収容スペースの壁面には、内部に連通する通気孔が穿設されている。そして、この収容スペース内に脱臭剤を収容することで、トイレ１内の悪臭を取り除くことができるようになっている。
【０００５】
このようなペット用トイレ１は、出入り口４の縁部が、成形のバリ等が出やすい金型のパーティングラインに対応し、バリが発生する恐れがあった。このようなバリは、出入り口４を通過するペットの腹部を刺激する等、好ましい構造ではなかった。
【０００６】
【発明が解決しようとする課題】
従来の合成樹脂製のペット用トイレは、出入り口の縁が、金型のパーティングラインに一致しておりバリが発生する恐れがあった。このようなバリは特に出入り口の下側で、出入りするペットの腹部を刺激するものであり、好ましい構造ではなかった。
【０００７】
本発明は以上のような課題に着目してなされたものであり、本発明の目的とするところは、出入り口の特に下側の縁部分にバリが発生することを防止するとともに、工場出荷時等のスタッキング性をも考慮したペット用トイレを提供することにある。
【０００８】
【課題を解決するための手段】
請求項１に記載の発明は、上方が開放した下箱体を設け、下箱体の開口縁に渡って外側下方に折り返して補強折返し縁を設け、下箱体の開口縁の一部を円弧状に切り下げ出入り口下部を形成し、出入り口下部の全縁を、水平方向の外方に突出し、かつ下側に折り返して形成されペットの腹部との接触を保護する保護折返し縁を設け、一面が開放した箱状に形成され、開放した一面を上向きにした場合で、上方から下箱体に挿入した状態、かつ、下箱体を上方から挿入した状態でネスティング自在であり、一面を下箱体の開放部分に対応することで本体組立てを完成するフードを設け、フードの開口縁に形成されて、ネスティング状態では、下箱体の補強折返し縁の上下に隣接し、本体組立て状態では、補強折返し縁を上方から挟持する一対の内リブと外リブとを備えた組立てリブを設け、フードに出入り口下部に対応して円弧状に切り欠かかれたペットの出入り口上部を設けたペット用トイレにある。
【０００９】
また、請求項２の発明は、本体組立て状態で、下箱体の保護折返し縁に対応するフードの内リブと外リブとを切り欠いたことを特徴とする前記ペット用トイレにある。
【００１０】
【作用】
請求項１の発明によれば、出入り口下部の縁が水平方向外側に突出し、さらに、下側に折り返して、保護折返し縁を設けたことにより、猫の腹部が接触する部分にバリが発生するのを防止できる。
【００１１】
また、請求項２の発明によれば、保護折返し縁に対応するフードの内リブと外リブとを切り欠いたので、ネスティングの場合にも保護折返し縁がフードに干渉することを防止して、ネスティング効率を向上する。
【００１２】
【実施例】
以下、本発明における一実施例を図面を参照して説明する。
【００１３】
本発明におけるペット用トイレ５は、図１に示されるように構成されている。着色された合成樹脂からなる下箱体６と、下箱体６の上部に装着された無着色の透明なフード７とを備えている。下箱体６は上方が開放した箱状に形成されており、フード７が下箱体６の上面を封鎖するごとく装着され、左右部分が図３および図５に示されるようにバックル８，９で着脱自在に固定されるようになっている。
【００１４】
また、フード７の天井の中央部には図３および図９に示されるように把手１０と、脱臭剤挿入部１１が設けられている。フード７の天井部には、図５に示されるように上方に一段高く形成されたスタック段部１２が形成されている。
【００１５】
このスタック段部１２は、平面視で図９に示されるような角の部分が丸みをおびた四角状になっており、この内側に根元部分が回動自在に枢着された前記把手１０が設けられている。把手１０を立てると、倒れた状態では、スタック段部１２と面一であった把手１０が図８に示すように上方に突出し、持ち運びできるようになる。
【００１６】
このように、一段高いスタック段部１２に把手１０等の収容部分を作ることにより、フード７の内側の天井高さを従来の通常の天井面に収容部を作るよりも高い位置に設定して、内部の居住性を高めることができる。
【００１７】
また、脱臭剤挿入部１１は、倒れた状態の把手１０の内側に位置してスタック段部１２を一段低く凹ませることで形成されている。この図示しない凹部の底にはフード７の内側に貫通する通気孔が穿設されており、上部にはスタック段部１２と面一になる四角いプレート状の蓋１３が一辺を枢着することで取り付けられている。
【００１８】
脱臭剤挿入部１１には図１に示すように袋詰めされた脱臭剤１３ａを収納するように構成されており、収納の際には図１１に示されるように蓋１３を開放するようになっている。
【００１９】
一方、下箱体６の底部には図１および図２に示されるようにゴム製の滑り止め１４が四隅に取り付けられている。さらに、これらの滑り止め１４の内側には前記スタック段部１２の輪郭に対応するスタッキングリブ１５が図１０に示されるように形成されている。
【００２０】
このようにフード７の上面にスタック段部１２を形成し、下箱体６の下面にスタッキングリブ１５を形成したことで、双方が嵌合しあうようになり、特に店頭陳列時等には図１２のように安定したスタッキングができる。
【００２１】
また、ペット用トイレ５の正面部分には、下箱体６とフード７とにまたがる形で、ペットの出入り口１６が形成されている。
【００２２】
以上のようなペット用トイレ５の下箱体６とフード７との接合部分は次のような構造となっている。
【００２３】
下箱体６の開口縁には、全縁に渡って、補強折返し縁１７が形成されている。この補強折返し縁１７は下箱体６の開口縁を外側下方に折り返して形成されており、下箱体６自体の剛性を高めるとともに、外側に突出してネスティング時の制限となる。
【００２４】
また、下箱体６の出入り口１６に対応する出入り口下部１８は、図４に示されるように、下箱体６の開口縁の一部を円弧状に切り下げた状態になっており、その全縁は水平方向の外方に突出し、かつ下側に折り返して保護折返し縁１９が形成されている。
【００２５】
この保護折返し縁１９は、先端部分が下側に向けて延長されていることで、製造金型のパーティングラインを下側に移動することができる。よって、パーティングラインにバリが発生したとしても、猫等のペットの腹部がバリに接触しないのでペットに不快な刺激を与えることを防止できる。
【００２６】
また、保護折返し縁１９は水平方向の外側に突出しているので、下箱体６どうしや、フード７をネスティングする場合に相互が干渉することを防止して、ネスティング効率を高めることができる。
【００２７】
ここで、フード７の出入り口１６に対応する部分は上方に切欠かれており出入り口上部７ａを構成している。つまり、出入り口下部１８と出入り口上部７ａとが連続することにより出入り口１６が形成されている。
【００２８】
そして、下箱体６とフード７は図６に示すように、ネスティングができる。フード７は一面が開放された箱状に形成され、開放した一面を上向きにした場合に上方から下箱体６を挿入することができ、また、フード７は下箱体６に対して上方から挿入することができる。
【００２９】
また、フード７は、開放した一面を下箱体６の開放部分に対応することで図５に示すようにペット用トイレ５を完成することができる。
【００３０】
このようなネスティングを可能にするフード７は開放する一面の縁部に内リブ２０と外リブ２１とからなる組立てリブ２２が形成されている。この組立てリブ２２は図６に示されるネスティング状態では、下箱体６の補強折返し縁１７の上下に隣接して、ネスティングの制限となる。また、ペット用トイレ６を完成する状態では、補強折返し縁１７を上方から挟持するように内リブ２０と外リブ２１が嵌合するようになっている。
【００３１】
また、組立てリブ２２は図１に示すように、組立完成時の保護折返し縁１９に対応する部分が切欠かれて切欠き部Ｃが形成されている。
【００３２】
この部分を切欠くことにより、図７に示すようにネスティング状態にあっても、組立てリブ２２と保護折返し縁１９とが干渉せずに、効率の良いネスティングができる。
【００３３】
ここで、ネスティングされた組立てリブ２２は、補強折返し縁１７の下側に向いた縁部を内リブ２０と外リブ２１とで挟み込むように組み合わされる。
【００３４】
以上のように下箱体６とフード７とにまたがる状態でペットの出入り口１６を形成し、下箱体６とフート７とでネスティングできるように構成したことにより、従来のペット用トイレに比較して、ネスティング効率を著しく向上することができる。
【００３５】
さらに、下箱体６の出入り口下部１８に保護折返し縁１９を設けたことにより製造金型のパーディングラインを下側に移動でき、ペットが出入り口を通過する際に、腹部が接触しても、バリによる不快な刺激を受けないようにできる。
【００３６】
また、保護折返し縁１９は中途部分が水平方向外側に延長されているので、下箱体６どうしや、フード７とのネスティングの不要な干渉を防止して、効率の良いネスティングができる。
【００３７】
以上のように構成したことにより従来に得ることの出来なかった商品価値の高いペット用トイレを提供することができる。
【００３８】
なお、本発明は前記一実施例にのみ限定されるものではない。例えば、ペットの出入り口１６はペット用トイレ５の前面に開口されていたが、これに限定されず、例えば角部分に開口されたものも含まれる。つまり、出入り口１６は下箱体６とフード７とにまたがって形成されているものであれば同等の効果を得ることができる。
【００３９】
また、バックル８，９の配置等についても何ら限定されるものではなく、下箱体７とフード７とを互いに連結できる構造が備えられていれば同等の効果が得られる。
【００４０】
【発明の効果】
請求項１に記載の発明によれば、出入り口下部の縁が水平方向外側に突出したあと、下側に折り返して、保護折返し縁を設けたことにより、成形のパーティングラインを下側に移動し、猫の腹部が接触する部分にバリが発生するのを防止できる。また、水平方向に延長された保護折返し縁は下箱体とフードとの不要な干渉を防ぎネスティング効率を高めるとができる。
【００４１】
また、請求項２に記載の発明によれば、保護折返し縁に対応するフードの内リブと外リブとを切り欠いたので、ネスティングの場合にも保護折返し縁がフードに干渉することを防止して、ネスティング効率を向上する。
【図面の簡単な説明】
【図１】本発明の一実施例におけるペット用トイレの斜視図である。
【図２】本発明の一実施例におけるペット用トイレの底面を示す斜視図である。
【図３】本発明の一実施例におけるペット用トイレのフードを示す斜視図である。
【図４】本発明の一実施例におけるペット用トイレの下箱体を示す斜視図である。
【図５】本発明の一実施例におけるペット用トイレの側面図である。
【図６】本発明の一実施例におけるペット用トイレのネスティング状態を示す正面図である。
【図７】本発明の一実施例におけるペット用トイレのネスティング状態で、組立てリブが切欠かれていることで保護折返し縁との干渉が防止されている状態を示す斜視図である。
【図８】本発明の一実施例におけるペット用トイレの把手を立てた状態の正面図である。
【図９】本発明の一実施例におけるペット用トイレのフードの平面図である。
【図１０】本発明の一実施例におけるペット用トイレの下箱体の下面図である。
【図１１】本発明の一実施例におけるペット用トイレの脱臭剤収容部分の蓋を開放した状態を示す正面図である。
【図１２】本発明の一実施例におけるペット用トイレを２つスタッキングした状態を示す正面図である。
【図１３】従来のペット用トイレの側面図である。
【図１４】従来のペット用トイレの正面図である。
【符号の説明】
５  ペット用トイレ
６  下箱体
７  フード
７ａ  出入り口上部
１６  出入り口
１７  補強折返し縁
１８  出入り口下部
１９  保護折返し縁
２０  内リブ
２１  外リブ
２２  組立てリブ
【図１】
0003764498.tif 000002
【図２】
0003764498.tif 000003
【図３】
0003764498.tif 000004
【図４】
0003764498.tif 000005
【図５】
0003764498.tif 000006
【図６】
0003764498.tif 000007
【図７】
0003764498.tif 000008
【図８】
0003764498.tif 000009
【図９】
0003764498.tif 000010
【図１０】
0003764498.tif 000011
【図１１】
0003764498.tif 000012
【図１２】
0003764498.tif 000013
【図１３】
0003764498.tif 000014
【図１４】
0003764498.tif 000015